(57)【要約】      （修正有）【課題】現在の特許商取引の中では通常おこなわれていない発明の奨励のビジネスモデルを構築して、それをソフトウェアとハードウェア資源とが協働した具体的な手段で実現して、発明の奨励を勧めること。【解決手段】インターネット上の発明協会で特許ライセンスを取得した内容と数、金額、問題に応じて発明者に電子花を与えるサービス方法を利用する。具体的には、サーバー、インターネット、発明者リスト記憶手段、花音楽ＣＤリスト記憶手段などを利用して、ソフトウェアとハードウェア資源とが協働した具体的な手段で実現する。【選択図】図１
2006313414.tif 000002
【特許請求の範囲】
【請求項１】
インターネット上の発明協会で特許ライセンスを取得した内容と数、金額、問題に応じて発明者に電子花を与えるサービス方法において、
贈与する電子花ポイントの種類と数、贈与先の発明者の名前がインターネットを介してサーバーに入力されるステップ、
サーバーが、贈与先の発明者の名前に基づいて発明者リスト記憶手段に記憶された贈与先の電子メールアドレスを取得するステップ、
サーバーが、前記贈与する電子花ポイントの種類と数に応じて発明者リスト記憶手段に記憶された贈与先の電子花ポイントに加算、また加算する電子花ポイントの種類によって特定の電子花ポイントの種類の発明者リスト記憶手段に記憶された贈与先の電子花ポイントを減算するステップ、
サーバーが、電子花ポイントの種類と数に応じて電子花に変換するステップ、及び、
サーバーが、電子花が贈与されたことを贈与先の電子メールアドレスを用いて電子メールにて贈与先に通知するステップとからなる電子花サービス方法。
【請求項２】
前記電子花ポイントには、特許ライセンスを取得した内容に応じて発展猫花ポイント、安全犬花ポイント、健康亀花ポイントが含まれることを特徴とする請求項１のサービス方法。
【請求項３】
前記電子花ポイントには、特許ライセンスを取得した数と金額に応じて殊勲花ポイント、敢闘花ポイント、技能花ポイント、該当なし花ポイントが含まれることを特徴とする請求項１のサービス方法。
【請求項４】
前記電子花ポイントは、発展猫花ポイント、安全犬花ポイント、健康亀花ポイントのいずれも１０ポイント加算するごとに規定打席花ポイントが１ポイントが与えられ加算することを特徴とする請求項１のサービス方法。
【請求項５】
前記電子花ポイントは、殊勲花ポイントが５ポイント加算するごとにホームラン花ポイントが５ポイントが与えられ加算することを特徴とする請求項１のサービス方法。
【請求項６】
前記電子花ポイントは、該当なし花ポイントが１００ポイント加算するごとに三振花ポイントが１０ポイントが与えられ加算することを特徴とする請求項１のサービス方法。
【請求項７】
前記電子花ポイントは、ドーピング花ポイントが含まれ、ドーピング花ポイントが１ポイント加算するとそれまでに加算したドーピング花ポイント以外の電子花ポイントが０ポイントに減算することを特徴とする請求項１のサービス方法。
【請求項８】
前記電子花ポイントは、ドーピング花ポイントが３ポイントになると、サーバーが、電子花ポイントの種類と数に応じて電子花に変換するステップ、及び、サーバーが、電子花が贈与されたことを贈与先の電子メールアドレスを用いて電子メールにて贈与先に通知するステップを実行する代わりに、サーバーが、サービス終了のメッセージを作成するステッぷ、及び、サーバーが、サービス終了のメッセージを贈与先の電子メールアドレスを用いて電子メールにて贈与先に通知するステップを実行することを特徴とする請求項１のサービス方法。
【請求項９】
サーバーが、発明者リスト記憶手段から、贈与先の前記電子花ポイントの種類ごとの数を集計して合計電子花ポイントを算出し、前述のサーバーが、花音楽ＣＤ名と電子花交換ポイントが対応付けて記憶された花音楽ＣＤリスト記憶手段から、集計後の贈与先の合計電子花ポイント以下の電子花交換ポイントを有する花音楽ＣＤ名を検索して花音楽ＣＤリストファイルと花音楽ＣＤイントロ音声ファイルを作成し、前述のサーバーが、当該花音楽ＣＤリストファイルと花音楽ＣＤイントロ音声ファイルを前記電子メールの添付ファイルとして贈与先に送付することを特徴とする請求項１のサービス方法。
【請求項１０】
サーバーが、発明者リスト記憶手段から、請求項９で算出した集計後の贈与先の合計電子花ポイント以上を有する氏名を検索して上位発明者氏名リストファイルを作成し、前述のサーバーが、当該上位発明者氏名リストファイルを前記電子メールの添付ファイルとして贈与先に送付することを特徴とする請求項１のサービス方法。
【発明の詳細な説明】
【技術分野】
【０００１】
この発明は、インターネット上の発明奨励方法に関する。
【背景技術】
【０００２】
日本の特許法第１条には、「発明の保護及び利用を図ることにより、発明を奨励し、もって産業の発達に寄与することを目的とする。」と明記され、世界的にもこのことを基本として発明を奨励している。ただ、背景として、発明の奨励をビジネスモデルにした例やその技術的に実施した例はほとんどなく、現在の特許商取引の中では通常おこなわれていない。
【０００３】
【非特許文献１】「特・実の審査基準及び審査の運用−資料編−平成１６年度」特許庁、Ｐ．１７８−１８５
【発明の開示】
【発明が解決しようとする課題】
【０００４】
したがって、本発明が解決しようとする課題は、上記文献を参考として、上記文献Ｐ．１８２にあるように商取引として通常行われている例であるが、それとは違って進歩的に現在の特許商取引の中では通常おこなわれていない発明の奨励のビジネスモデルを構築して、それをソフトウェアとハードウェア資源とが協働した具体的な手段で実現して、発明の奨励を勧めることを課題とする。
【課題を解決するための手段】
【０００５】
課題を解決するための手段として、インターネット上の発明協会で特許ライセンスを取得した内容と数、金額、問題に応じて発明者に電子花を与えるサービス方法を利用する。  具体的には、贈与する電子花ポイントの種類と数、贈与先の発明者の名前がインターネットを介してサーバーに入力されるステップ、サーバーが、贈与先の発明者の名前に基づいて発明者リスト記憶手段に記憶された贈与先の電子メールアドレスを取得するステップ、サーバーが、前記贈与する電子花ポイントの種類と数を、贈与する電子花ポイントの種類と数に応じて発明者リスト記憶手段に記憶された贈与先の電子花ポイントに加算、また加算する電子花ポイントの種類によって特定の電子花ポイントの種類の発明者リスト記憶手段に記憶された贈与先の電子花ポイントを減算するステップ、サーバーが、電子花ポイントの種類と数に応じて電子花に変換するステップ、及びサーバーが、電子花が贈与されたことを贈与先の電子メールアドレスを用いて電子メールにて贈与先に通知するステップから電子花サービスを実現する。
【０００６】
また、前記電子花ポイントには、発展猫花ポイント、安全犬花ポイント、健康亀花ポイント、殊勲花ポイント、敢闘花ポイント、技能花ポイント、該当なし花ポイント、規定打席花ポイント、ホームラン花ポイント、三振花ポイント、ドーピング花ポイントが含まれることを特徴とする。この中で、ドーピング花ポイントが３ポイントになると、サーバーが、電子花ポイントの種類と数に応じて電子花に変換する代わりにサービス終了のメッセージを作成して、サーバーが、電子花が贈与されたことの代わりにサービス終了のメッセージを贈与先の電子メールアドレスを用いて電子メールにて贈与先に通知する。
【０００７】
さらに、サーバーが、発明者リスト記憶手段から、贈与先の前記電子花ポイントの種類ごとの数を集計して合計電子花ポイントを算出し、前述のサーバーが、花音楽ＣＤ名と電子花交換ポイントが対応付けて記憶された花音楽ＣＤリスト記憶手段から、集計後の贈与先の合計電子花ポイント以下の電子花交換ポイントを有する花音楽ＣＤ名を検索して花音楽ＣＤリストファイルと花音楽ＣＤイントロ音声ファイルを作成し、前述のサーバーが、当該花音楽ＣＤリストファイルと花音楽ＣＤイントロ音声ファイルを前記電子メールの添付ファイルとして贈与先に送付するサービスや、サーバーが、発明者リスト記憶手段から、前述で算出した集計後の贈与先の合計電子花ポイント以上を有する氏名を検索して上位発明者氏名リストファイルを作成し、前述のサーバーが、当該上位発明者氏名リストファイルを前記電子メールの添付ファイルとして贈与先に送付するサービスも実現する。
【発明の効果】
【０００８】
本発明は、発明の奨励を勧め、産業の発達の寄与に貢献する効果をもたらす。
【発明を実施するための最良の形態】
【０００９】
第１図は、本発明の実施の形態の説明に利用するシステム構成を示す概念説明図である。第２図、発明者リスト記憶手段の内容１である。第３図は、発明者リスト記憶手段の内容２である。第４図は、電子花の変換例である。第５図は、発明者リスト記憶手段の内容３である。第６図は、発明者リスト記憶手段の内容４である。第７図は、発明者リスト記憶手段の内容５である。第８図は、発明者リスト記憶手段の内容６である。第９図は、花音楽ＣＤ記憶手段の内容である。第１０図は、上位発明者氏名リストファイルの内容である。
【実施例１】
【００１０】
本発明の実施例１を以下に記載する。
本発明は、インターネット上の発明協会で特許ライセンスを取得した内容と数、金額、問題に応じて発明者に電子花を与えるという現在の特許商取引の中では通常おこなわれていないサービス方法である。
まず、贈与する電子花ポイントの種類と数、贈与先の発明者の名前が特許ライセンス取得者の端末２などからインターネット３を介してサーバー１に入力される。例えば、ある顧客が発明者Ｙの安全に関する特許ライセンス５ライセンスを１ライセンスあたり10,000円で取得したとする。安全に関する特許ライセンスが５ライセンスなので、贈与する電子花ポイントの種類は安全犬花ポイントでポイント数は５、特許ライセンスを取得した数１０以上で１ライセンスあたり1,000,000円以上で取得したときは殊勲花ポイント、特許ライセンスを取得した数１０以上で１ライセンスあたり1,000,000円未満で取得したときは敢闘花ポイント、特許ライセンスを取得した数１０未満で１ライセンスあたり1,000,000円以上で取得したときは技能花ポイント、それらのいずれにも該当しないときは該当なし花ポイントとすれば、ライセンス数や１ライセンスあたりの金額から贈与する電子花ポイントの種類は該当なし花ポイント、ポイント数は１となる。その結果、贈与する電子ポイントは、種類が安全犬花ポイントでポイント数５と種類が該当なし花ポイントでポイント数１、贈与先の発明者の名前であるＹが端末２からインターネット３を介してサーバー１に入力される。
次に、サーバー１が、贈与先の発明者の名前に基づいて発明者リスト記憶手段５に記憶された贈与先の電子メールアドレスを取得する。例えば、発明者リスト記憶手段５には、図２にあるように既に発明者名やその電子メールアドレスなどが登録されており、サーバー１が、贈与先の発明者の名前Ｙの場合には発明者名Ｙに基づいて発明者リスト記憶手段５に記憶された贈与先の電子メールアドレスY@hij.comを取得する。
次に、サーバー１が、前記贈与する電子花ポイントの種類と数を、贈与する電子花ポイントの種類と数に応じて発明者リスト記憶手段５に記憶された贈与先の電子花ポイントに加算する。例えば、種類が安全犬花ポイントでポイント数５と種類が該当なし花ポイントでポイント数１、贈与先の発明者の名前がＹの場合には、贈与する安全犬花ポイント数５と該当なし花ポイント数１を、発明者リスト記憶手段５に記憶された贈与先である発明者名Ｙの安全犬花ポイントの加算前のポイント数０、該当なし花ポイントの加算前のポイント数０に加算する。サーバー１の処理実施後の発明者リスト記憶手段５の内容は、図３のようになる。また、後述する実施例７のように、加算する電子花ポイントの種類によって特定の電子花ポイントの種類の発明者リスト記憶手段５に記憶された贈与先の電子花ポイントを減算する場合もある。
次に、サーバー１が、電子花ポイントの種類と数に応じて現在の特許商取引の中では通常おこなわれていない電子花に変換する。例えば、種類が安全犬花ポイントでポイント数５と種類が該当なし花ポイントでポイント数１の場合、図４のようになる。また、今回は省略するが、種類が安全犬花ポイントの場合は、図４のような電子花と用語の組み合わせ以外に電子花と電子犬などを組み合わせるといったことも可能である。
更に、サーバー１が、電子花が贈与されたことを贈与先の電子メールアドレスを用いて電子メールにて贈与先に通知する。例えば、図４の電子花が贈与されたことを贈与先の電子メールアドレスY@hij.comを用いて電子メールにて端末４などの贈与先である発明者Ｙに通知する。
【実施例２】
【００１１】
本発明の実施例２を以下に記載する。
請求項１のサービス方法の実施において、現在の特許商取引の中では通常おこなわれていないサービス方法として、インターネット３を介してサーバー１に入力される贈与する電子花ポイントの種類には、特許ライセンスを取得した内容に応じて発展猫花ポイント、安全犬花ポイント、健康亀花ポイントが含まれることを特徴とする。
具体的には、ある顧客の特許ライセンスを取得した内容が機械の速度向上といった場合、インターネット３を介してサーバー１に入力される贈与する電子花ポイントは、特許ライセンスを取得した内容が発展的な意味合いと関係があることと招き猫といったように福から発展をもたらす象徴動物名を組み合わせ、さらに花と組み合わせて発展猫花ポイントとなる。同様に、特許ライセンスを取得した内容が環境問題といった場合、インターネット３を介してサーバー１に入力される贈与する電子花ポイントは、特許ライセンスを取得した内容が安全的な意味合いと関係があることと番犬といったように安全をもたらす象徴動物名を組み合わせ、さらに花と組み合わせて安全犬花ポイントとなる。更に、特許ライセンスを取得した内容が脱毛対策といった場合、インターネット３を介してサーバー１に入力される贈与する電子花ポイントは、特許ライセンスを取得した内容が健康的な意味合いと関係があることと亀は万年といったように健康をもたらす象徴動物名を組み合わせ、さらに花と組み合わせて健康亀花ポイントとなる。
【実施例３】
【００１２】
本発明の実施例３を以下に記載する。
請求項１のサービス方法の実施において、現在の特許商取引の中では通常おこなわれていないサービス方法として、インターネット３を介してサーバー１に入力される贈与する電子花ポイントの種類には、特許ライセンスを取得した数と金額に応じて殊勲花ポイント、敢闘花ポイント、技能花ポイント、該当なし花ポイントが含めれることを特徴とする。
具体的には、インターネット３を介してサーバー１に入力される贈与する電子花ポイントは、ある顧客の特許ライセンスを取得した数１０以上で１ライセンスあたり1,000,000円以上で取得したときは殊勲花ポイント、特許ライセンスを取得した数１０以上で１ライセンスあたり1,000,000円未満で取得したときは敢闘花ポイント、特許ライセンスを取得した数１０未満で１ライセンスあたり1,000,000円以上で取得したときは技能花ポイント、それらのいずれにも該当しないときは該当なし花ポイントというようになる。
【実施例４】
【００１３】
本発明の実施例４を以下に記載する。
請求項１のサービス方法の実施において、現在の特許商取引の中では通常おこなわれていないサービス方法として、サーバー１が、贈与する電子花ポイントの種類と数に応じて発明者リスト記憶手段５に記憶された贈与先の電子花ポイントに加算する際、発展猫花ポイント、安全犬花ポイント、健康亀花ポイントのいずれも１０ポイント加算するごとに規定打席花ポイントが１ポイントが与えられ加算することを特徴とする。
具体的には、図３から発明者Ｙの発展猫花ポイントに関する特許ライセンスを２０ライセンスを１ライセンスあたり1,000,000円未満で取得したとき、発展猫花ポイントが２０ポイント、敢闘花ポイントが１ポイント、贈与先の発明者の名前Yがインターネット３を介してサーバー１に入力される。そして、サーバー１が、図３に記憶された発明者Ｙの発展猫花ポイントに２０ポイント加算する際、発展猫花ポイント、安全犬花ポイント、健康亀花ポイントのいずれかが１０ポイント加算するごとに規定打席花ポイントが１ポイント与えられ加算するので、発展猫花ポイントが２０ポイントになった場合は、規定打席花ポイントが２ポイント与えられ加算する。サーバー１の処理実施後の発明者リスト記憶手段５の内容は、図５のようになる。
【実施例５】
【００１４】
本発明の実施例５を以下に記載する。
請求項１のサービス方法の実施において、現在の特許商取引の中では通常おこなわれていないサービス方法として、サーバー１が、贈与する電子花ポイントの種類と数に応じて発明者リスト記憶手段５に記憶された贈与先の電子花ポイントに加算する際、殊勲花ポイントが５ポイント加算するごとにホームラン花ポイントが５ポイント与えられ加算することを特徴とする。
具体的には、図５から発明者Ｘの発展猫花ポイントに関する特許ライセンスを２０ライセンスを１ライセンスあたり1,000,000円以上で取得したとき、発展猫花ポイントが２０ポイント、殊勲花ポイントが１ポイント、贈与先の発明者の名前Ｘがインターネット３を介してサーバー１に入力される。そして、サーバー１が、実施例４に従い規定打席花ポイントが２ポイント与えられ加算する他に、図５に記憶された発明者Ｘの殊勲花ポイントに１ポイント加算する際、殊勲花ポイントが５ポイント加算するごとにホームラン花ポイントが５ポイント与えられ加算するので、殊勲花ポイントが５ポイントになった場合は、ホームラン花ポイントが５ポイント与えられ加算する。サーバー１の処理実施後の発明者リスト記憶手段５の内容は、図６のようになる。
【実施例６】
【００１５】
本発明の実施例６を以下に記載する。
請求項１のサービス方法の実施において、現在の特許商取引の中では通常おこなわれていないサービス方法として、サーバー１が、贈与する電子花ポイントの種類と数に応じて発明者リスト記憶手段５に記憶された贈与先の電子花ポイントに加算する際、電子花ポイントは、該当なし花ポイントが１００ポイント加算するごとに三振花ポイントが１０ポイント与えられ加算することを特徴とする。
具体的には、図６から発明者Ｚの健康亀花ポイントに関する特許ライセンスを５ライセンスを１ライセンスあたり1,000,000円未満で取得したとき、健康亀花ポイントが５ポイント、該当なし花ポイントが１ポイント、贈与先の発明者の名前Ｚがインターネット３を介してサーバー１に入力される。そして、サーバー１が、実施例４に従い規定打席花ポイントが１ポイント与えられ加算する他に、図６に記憶された発明者Ｚの該当なし花ポイントに１ポイント加算する際、該当なし花ポイントが１００ポイント加算するごとに三振花ポイントが１０ポイント与えられ加算するので、該当なし花ポイントが１００ポイントになった場合は、三振花が１０ポイント与えられ加算する。サーバー１の処理実施後の発明者リスト記憶手段５の内容は、図７のようになる。
【実施例７】
【００１６】
本発明の実施例７を以下に記載する。
請求項１のサービス方法の実施において、現在の特許商取引の中では通常おこなわれていないサービス方法として、サーバー１が、加算する電子花ポイントがの種類がドーピング花ポイントで、そのことによってドーピング花ポイント以外の電子花ポイントの発明者リスト記憶手段５に記憶された贈与先の電子花ポイントを０ポイントに減算することにすることを特徴とする。
具体的には、図７から発明者Ｘに特許取得に対し盗聴など悪質な法律に関わる問題が発覚して、ドーピング花ポイントが１ポイント、贈与先の発明者の名前Ｘがインターネット３を介してサーバー１に入力される。そして、サーバー１が、図７に記憶された発明者Ｘのドーピング花ポイントに１ポイント加算する際、加算する電子花ポイントの種類がドーピング花ポイントで、そのことによってドーピング花ポイント以外の電子花ポイントの発明者リスト記憶手段５に記憶された贈与先の電子花ポイントを０ポイントに減算するので、ドーピング花ポイント以外の電子花ポイントが０ポイントに減算する。サーバー１の処理実施後の発明者リスト記憶手段５の内容は、図８のようになる。
【実施例８】
【００１７】
本発明の実施例８を以下に記載する。
請求項１のサービス方法の実施において、現在の特許商取引の中では通常おこなわれていないサービス方法として、サーバー１が、贈与する電子花ポイントの種類と数に応じて発明者リスト記憶手段５に記憶された贈与先の電子花ポイントに加算する際、電子花ポイントのドーピング花ポイントが３ポイントになると、サーバー１が、電子花ポイントの種類と数に応じて電子花に変換するステップ、及び、サーバー１が、電子花が贈与されたことの代わりにサービス終了のメッセージを贈与先の電子メールアドレスを用いて電子メールにて贈与先に通知するステップを実行する代わりに、サーバー１が、サービス終了のメッセージを作成するステッぷ、及び、サーバー１が、サービス終了のメッセージを贈与先の電子メールアドレスを用いて電子メールにて贈与先に通知するステップを実行することを特徴とする。
具体的には、図８から発明者Ｘに特許取得に対し悪質な法律に関わる問題が更に２回続けて発覚して、ドーピング花ポイントが１ポイントづつ２回、贈与先の発明者の名前Ｘがインターネット３を介してサーバー１に入力される。そして、サーバー１が、今回入力された２回目で、贈与する電子花ポイントの種類と数に応じて発明者リスト記憶手段５に記憶された発明者Ｘのドーピング花ポイントに１ポイント加算する際、ドーピング花ポイントが３ポイントになる。そうなると、サーバー１が、電子花ポイントの種類と数に応じて電子花に変換するステップ、及び、サーバー１が、電子花が贈与されたことを贈与先の電子メールアドレスを用いて電子メールにて贈与先に通知するステップを実行する代わりに、サーバー１が、サービス終了のメッセージを作成して、サーバー１が、サービス終了のメッセージを贈与先の電子メールアドレスX@efg.comを用いて電子メールにて端末４などの贈与先である発明者Ｘに通知する。
【実施例９】
【００１８】
本発明の実施例９を以下に記載する。
請求項１のサービス方法の実施において、サーバー１が、発明者リスト記憶手段５から、贈与先の電子花ポイントの種類ごとの数を集計して合計電子花ポイントを算出し、前述のサーバー１が、花音楽ＣＤ名と電子花交換ポイントが対応付けて記憶された花音楽ＣＤリスト記憶手段６から、集計後の贈与先の合計電子花ポイント以下の電子花交換ポイントを有する花音楽ＣＤ名を検索して花音楽ＣＤリストファイルと花音楽ＣＤイントロ音声ファイルを作成し、前述のサーバー１が、当該花音楽ＣＤリストファイルと花音楽ＣＤイントロ音声ファイルを電子メールの添付ファイルとして贈与先に送付する。
具体的には、図８の発明者Ｚの場合、サーバー１が、発明者リスト記憶手段５から、贈与先の電子花ポイントの種類ごとの数を集計して合計電子花ポイントを算出する。その結果、発展猫花ポイント２００＋安全犬花ポイント３００＋健康亀花ポイント３０＋殊勲花ポイント０＋敢闘花ポイント０＋技能花ポイント０＋該当なし花ポイント１００＋規定打席花ポイント５３＋ホームラン花ポイント０＋三振花ポイント１０＋ドーピング花ポイント０＝合計電子花ポイント６９８ポイントとなる。次に、サーバー１が、図９にある花音楽ＣＤ名と電子花交換ポイントが対応付けて記憶された花音楽ＣＤリスト記憶手段６から、集計後の贈与先である発明者Ｚの合計電子花ポイント以下の電子花交換ポイントを有する花音楽ＣＤ名を検索して花音楽ＣＤリストファイルと花音楽ＣＤイントロ音声ファイルを作成する。そして、サーバー１が、当該花音楽ＣＤリストファイルと花音楽ＣＤイントロ音声ファイルを電子メールの添付ファイルとして贈与先である発明者Ｚに送付する。なお、今回は花音楽ＣＤリストファイルと花音楽ＣＤイントロ音声ファイルの組み合わせとなったが、テキストリストファイルとテキストＣＤ音声ファイルといったような新規の組み合わせも可能である。
【実施例１０】
【００１９】
本発明の実施例１０を以下に記載する。
請求項１のサービス方法の実施において、サーバー１が、発明者リスト記憶手段５から、請求項９で算出した集計後の贈与先の合計電子花ポイント以上を有する氏名を検索して上位発明者氏名リストのファイルを作成し、前述のサーバー１が、当該上位発明者氏名リストファイルを電子メールの添付ファイルとして贈与先に送付する。
具体的には、図８の発明者Ｚの場合、サーバー１が、発明者リスト記憶手段５から、請求項９で算出した集計後の贈与先である発明者Ｚの合計電子花ポイント６９８ポイント以上を有する氏名を検索して氏名リストのファイルを作成する。もし、仮に、発明者リスト記憶手段５に７００人登録されていてその中で１０人が合計電子花ポイント６９８ポイントいるとする。その場合、１０名の氏名を検索して図１０にある上位発明者氏名リストファイルを作成する。そして、サーバー１が当該上位発明者氏名リストファイルを電子メールの添付ファイルとして贈与先に送付する。このことによって、進歩的に各発明者により上位を目指して発明の奨励を推奨する。
【産業上の利用可能性】
【００２０】
本発明の活用例として、以下が挙げられる。
・発明協会
・各種学校
・研究所
・技術系会社など
【図面の簡単な説明】
【００２１】
【図１】、本発明の実施の形態の説明に利用するシステム構成を示す概念説明図
【図２】、発明者リスト記憶手段の内容１
【図３】、発明者リスト記憶手段の内容２
【図４】、電子花の変換例
【図５】、発明者リスト記憶手段の内容３
【図６】、発明者リスト記憶手段の内容４
【図７】、発明者リスト記憶手段の内容５
【図８】、発明者リスト記憶手段の内容６
【図９】、音楽ＣＤ記憶手段の内容
【図１０】、上位発明者氏名リストファイルの内容
【符号の説明】
【００２２】
１：サーバー
２：特許ライセンス取得者の端末
３：インターネット
４：発明者の端末
５：発明者リスト記憶手段
６：花音楽ＣＤリスト記憶手段
【図１】
2006313414.tif 000003
【図２】
2006313414.tif 000004
【図３】
2006313414.tif 000005
【図４】
2006313414.tif 000006
【図５】
2006313414.tif 000007
【図６】
2006313414.tif 000008
【図７】
2006313414.tif 000009
【図８】
2006313414.tif 000010
【図９】
2006313414.tif 000011
【図１０】
2006313414.tif 000012
【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
インターネット上の発明協会で特許ライセンスを取得した内容と数、金額、問題に応じて発明者に電子花を与えるサービス方法において、
贈与する電子花ポイントの種類と数、贈与先の発明者の名前がインターネットを介してサーバーに入力されるステップ、
サーバーが、贈与先の発明者の名前に基づいて発明者リスト記憶手段に記憶された贈与先の電子メールアドレスを取得するステップ、
サーバーが、前記贈与する電子花ポイントの種類と数に応じて発明者リスト記憶手段に記憶された贈与先の電子花ポイントに加算、また加算する電子花ポイントの種類によって特定の電子花ポイントの種類の発明者リスト記憶手段に記憶された贈与先の電子花ポイントを減算するステップ、
サーバーが、電子花ポイントの種類と数に応じて電子花に変換するステップ、及び、
サーバーが、電子花が贈与されたことを贈与先の電子メールアドレスを用いて電子メールにて贈与先に通知するステップとからなる電子花サービス方法。
【請求項２】
前記電子花ポイントには、特許ライセンスを取得した内容に応じて発展猫花ポイント、安全犬花ポイント、健康亀花ポイントが含まれること、特許ライセンスを取得した数と金額に応じて殊勲花ポイント、敢闘花ポイント、技能花ポイント、該当なし花ポイントが含まれること、前記電子花ポイントは、発展猫花ポイント、安全犬花ポイント、健康亀花ポイントのいずれも１０ポイント加算するごとに規定打席花ポイントが１ポイント与えられ加算すること、殊勲花ポイントが５ポイント加算するごとにホームラン花ポイントが５ポイント与えられ加算すること、該当なし花ポイントが１００ポイント加算するごとに三振花ポイントが１０ポイント与えられ加算すること、前記電子花ポイントは、ドーピング花ポイントが含まれ、ドーピング花ポイントが１ポイント加算するとそれまでに加算したドーピング花ポイント以外の電子花ポイントが０ポイントに減算すること、ドーピング花ポイントが３ポイントになると、サーバーが、電子花ポイントの種類と数に応じて電子花に変換するステップ、及び、サーバーが、電子花が贈与されたことを贈与先の電子メールアドレスを用いて電子メールにて贈与先に通知するステップを実行する代わりに、サーバーが、サービス終了のメッセージを作成するステップ、及び、サーバーが、サービス終了のメッセージを贈与先の電子メールアドレスを用いて電子メールにて贈与先に通知するステップを実行することを特徴とする請求項１のサービス方法。
【請求項３】
サーバーが、発明者リスト記憶手段から、贈与先の前記電子花ポイントの種類ごとの数を集計して合計電子花ポイントを算出し、前述のサーバーが、花音楽ＣＤ名と電子花交換ポイントが対応付けて記憶された花音楽ＣＤリスト記憶手段から、集計後の贈与先の合計電子花ポイント以下の電子花交換ポイントを有する花音楽ＣＤ名を検索して花音楽ＣＤリストファイルと花音楽ＣＤイントロ音声ファイルを作成し、前述のサーバーが、当該花音楽ＣＤリストファイルと花音楽ＣＤイントロ音声ファイルを前記電子メールの添付ファイルとして贈与先に送付することを特徴とする請求項１のサービス方法。
【請求項４】
サーバーが、発明者リスト記憶手段から、請求項３で算出した集計後の贈与先の合計電子花ポイント以上を有する氏名を検索して上位発明者氏名リストファイルを作成し、前述のサーバーが、当該上位発明者氏名リストファイルを前記電子メールの添付ファイルとして贈与先に送付することを特徴とする請求項１のサービス方法。
【手続補正２】
【補正対象書類名】明細書
【補正対象項目名】全文
【補正方法】変更
【補正の内容】
【発明の詳細な説明】
【技術分野】
【０００１】
この発明は、インターネット上の発明奨励方法に関する。
【背景技術】
【０００２】
日本の特許法第１条には、「発明の保護及び利用を図ることにより、発明を奨励し、もって産業の発達に寄与することを目的とする。」と明記され、世界的にもこのことを基本として発明を奨励している。ただ、背景として、発明の奨励をビジネスモデルにした例やその技術的に実施した例はほとんどなく、現在の特許商取引の中では通常おこなわれていない。
【０００３】
【非特許文献１】「特・実の審査基準及び審査の運用−資料編−平成１６年度」特許庁、Ｐ．１７８−１８５
【発明の開示】
【発明が解決しようとする課題】
【０００４】
したがって、本発明が解決しようとする課題は、上記文献を参考として、上記文献Ｐ．１８２にあるように商取引として通常行われている例であるが、それとは違って進歩的に現在の特許商取引の中では通常おこなわれていない発明の奨励のビジネスモデルを構築して、それをソフトウェアとハードウェア資源とが協働した具体的な手段で実現して、発明の奨励を勧めることを課題とする。
【課題を解決するための手段】
【０００５】
課題を解決するための手段として、インターネット上の発明協会で特許ライセンスを取得した内容と数、金額、問題に応じて発明者に電子花を与えるサービス方法を利用する。具体的には、贈与する電子花ポイントの種類と数、贈与先の発明者の名前がインターネットを介してサーバーに入力されるステップ、サーバーが、贈与先の発明者の名前に基づいて発明者リスト記憶手段に記憶された贈与先の電子メールアドレスを取得するステップ、サーバーが、前記贈与する電子花ポイントの種類と数を、贈与する電子花ポイントの種類と数に応じて発明者リスト記憶手段に記憶された贈与先の電子花ポイントに加算、また加算する電子花ポイントの種類によって特定の電子花ポイントの種類の発明者リスト記憶手段に記憶された贈与先の電子花ポイントを減算するステップ、サーバーが、電子花ポイントの種類と数に応じて電子花に変換するステップ、及びサーバーが、電子花が贈与されたことを贈与先の電子メールアドレスを用いて電子メールにて贈与先に通知するステップから電子花サービスを実現する。
【０００６】
また、前記電子花ポイントには、発展猫花ポイント、安全犬花ポイント、健康亀花ポイント、殊勲花ポイント、敢闘花ポイント、技能花ポイント、該当なし花ポイント、規定打席花ポイント、ホームラン花ポイント、三振花ポイント、ドーピング花ポイントが含まれることを特徴とする。この中で、ドーピング花ポイントが３ポイントになると、サーバーが、電子花ポイントの種類と数に応じて電子花に変換する代わりにサービス終了のメッセージを作成して、サーバーが、電子花が贈与されたことの代わりにサービス終了のメッセージを贈与先の電子メールアドレスを用いて電子メールにて贈与先に通知する。
【０００７】
さらに、サーバーが、発明者リスト記憶手段から、贈与先の前記電子花ポイントの種類ごとの数を集計して合計電子花ポイントを算出し、前述のサーバーが、花音楽ＣＤ名と電子花交換ポイントが対応付けて記憶された花音楽ＣＤリスト記憶手段から、集計後の贈与先の合計電子花ポイント以下の電子花交換ポイントを有する花音楽ＣＤ名を検索して花音楽ＣＤリストファイルと花音楽ＣＤイントロ音声ファイルを作成し、前述のサーバーが、当該花音楽ＣＤリストファイルと花音楽ＣＤイントロ音声ファイルを前記電子メールの添付ファイルとして贈与先に送付するサービスや、サーバーが、発明者リスト記憶手段から、前述で算出した集計後の贈与先の合計電子花ポイント以上を有する氏名を検索して上位発明者氏名リストファイルを作成し、前述のサーバーが、当該上位発明者氏名リストファイルを前記電子メールの添付ファイルとして贈与先に送付するサービスも実現する。
【発明の効果】
【０００８】
本発明は、発明の奨励を勧め、産業の発達の寄与に貢献する効果をもたらす。
【発明を実施するための最良の形態】
【０００９】
第１図は、本発明の実施の形態の説明に利用するシステム構成を示す概念説明図である。第２図、発明者リスト記憶手段の内容１である。第３図は、発明者リスト記憶手段の内容２である。第４図は、電子花の変換例である。第５図は、発明者リスト記憶手段の内容３である。第６図は、発明者リスト記憶手段の内容４である。第７図は、発明者リスト記憶手段の内容５である。第８図は、発明者リスト記憶手段の内容６である。第９図は、花音楽ＣＤ記憶手段の内容である。第１０図は、上位発明者氏名リストファイルの内容である。
【実施例１】
【００１０】
本発明の実施例１を以下に記載する。
本発明は、インターネット上の発明協会で特許ライセンスを取得した内容と数、金額、問題に応じて発明者に電子花を与えるという現在の特許商取引の中では通常おこなわれていないサービス方法である。
まず、贈与する電子花ポイントの種類と数、贈与先の発明者の名前が特許ライセンス取得者の端末２などからインターネット３を介してサーバー１に入力される。例えば、ある顧客が発明者Ｙの安全に関する特許ライセンス５ライセンスを１ライセンスあたり10,000円で取得したとする。安全に関する特許ライセンスが５ライセンスなので、贈与する電子花ポイントの種類は安全犬花ポイントでポイント数は５、特許ライセンスを取得した数１０以上で１ライセンスあたり1,000,000円以上で取得したときは殊勲花ポイント、特許ライセンスを取得した数１０以上で１ライセンスあたり1,000,000円未満で取得したときは敢闘花ポイント、特許ライセンスを取得した数１０未満で１ライセンスあたり1,000,000円以上で取得したときは技能花ポイント、それらのいずれにも該当しないときは該当なし花ポイントとすれば、ライセンス数や１ライセンスあたりの金額から贈与する電子花ポイントの種類は該当なし花ポイント、ポイント数は１となる。その結果、贈与する電子ポイントは、種類が安全犬花ポイントでポイント数５と種類が該当なし花ポイントでポイント数１、贈与先の発明者の名前であるＹが端末２からインターネット３を介してサーバー１に入力される。
次に、サーバー１が、贈与先の発明者の名前に基づいて発明者リスト記憶手段５に記憶された贈与先の電子メールアドレスを取得する。例えば、発明者リスト記憶手段５には、図２にあるように既に発明者名やその電子メールアドレスなどが登録されており、サーバー１が、贈与先の発明者の名前Ｙの場合には発明者名Ｙに基づいて発明者リスト記憶手段５に記憶された贈与先の電子メールアドレスY@hij.comを取得する。
次に、サーバー１が、前記贈与する電子花ポイントの種類と数を、贈与する電子花ポイントの種類と数に応じて発明者リスト記憶手段５に記憶された贈与先の電子花ポイントに加算する。例えば、種類が安全犬花ポイントでポイント数５と種類が該当なし花ポイントでポイント数１、贈与先の発明者の名前がＹの場合には、贈与する安全犬花ポイント数５と該当なし花ポイント数１を、発明者リスト記憶手段５に記憶された贈与先である発明者名Ｙの安全犬花ポイントの加算前のポイント数０、該当なし花ポイントの加算前のポイント数０に加算する。サーバー１の処理実施後の発明者リスト記憶手段５の内容は、図３のようになる。また、後述する実施例７のように、加算する電子花ポイントの種類によって特定の電子花ポイントの種類の発明者リスト記憶手段５に記憶された贈与先の電子花ポイントを減算する場合もある。
次に、サーバー１が、電子花ポイントの種類と数に応じて現在の特許商取引の中では通常おこなわれていない電子花に変換する。この情報処理を明確に記載すると、サーバー１が、入力された電子花ポイントの種類（情報オブジェクト）のポイント数に応じて、描画オブジェクトを作成する処理で花の基本図形オブジェクトを生成し（ここで生成された花の基本図形オブジェクトを電子花という）、電子花に入力された電子花ポイントの種類（情報オブジェクト）の部分を描画オブジェクト変換組み合わせする処理で電子花の合成図形オブジェクトに変換するのを一体化した、サーバー１における電子花ポイントの種類と数からのソフトウェア変換処理のことをいう。ここで、例えば、種類が安全犬花ポイントでポイント数５と種類が該当なし花ポイントでポイント数１の場合、図４のようになる。また、今回は省略するが、種類が安全犬花ポイントの場合は、図４のような電子花と用語の組み合わせ以外に電子花と電子犬などを組み合わせるといったことも可能である。
更に、サーバー１が、電子花が贈与されたことを贈与先の電子メールアドレスを用いて電子メールにて贈与先に通知する。例えば、図４の電子花が贈与されたことを贈与先の電子メールアドレスY@hij.comを用いて電子メールにて端末４などの贈与先である発明者Ｙに通知する。
【実施例２】
【００１１】
本発明の実施例２を以下に記載する。
請求項１のサービス方法の実施において、現在の特許商取引の中では通常おこなわれていないサービス方法として、インターネット３を介してサーバー１に入力される贈与する電子花ポイントの種類には、特許ライセンスを取得した内容に応じて発展猫花ポイント、安全犬花ポイント、健康亀花ポイントが含まれることを特徴とする。
具体的には、ある顧客の特許ライセンスを取得した内容が機械の速度向上といった場合、インターネット３を介してサーバー１に入力される贈与する電子花ポイントは、特許ライセンスを取得した内容が発展的な意味合いと関係があることと招き猫といったように福から発展をもたらす象徴動物名を花と組み合わせ処理するための意味合い（情報オブジェクト）を組み合わせたポイントである発展猫花ポイントとなる。同様に、特許ライセンスを取得した内容が環境問題といった場合、インターネット３を介してサーバー１に入力される贈与する電子花ポイントは、特許ライセンスを取得した内容が安全的な意味合いと関係があることと番犬といったように安全をもたらす象徴動物名を花と組み合わせ処理するための意味合い（情報オブジェクト）を組み合わせたポイントである安全犬花ポイントとなる。更に、特許ライセンスを取得した内容が脱毛対策といった場合、インターネット３を介してサーバー１に入力される贈与する電子花ポイントは、特許ライセンスを取得した内容が健康的な意味合いと関係があることと亀は万年といったように健康をもたらす象徴動物名を花と組み合わせ処理するための意味合い（情報オブジェクト）を組み合わせたポイントである健康亀花ポイントとなる。
【００１２】
また、請求項１のサービス方法の実施において、現在の特許商取引の中では通常おこなわれていないサービス方法として、インターネット３を介してサーバー１に入力される贈与する電子花ポイントの種類には、特許ライセンスを取得した数と金額に応じて殊勲花ポイント、敢闘花ポイント、技能花ポイント、該当なし花ポイントが含まれることを特徴とする。
具体的には、インターネット３を介してサーバー１に入力される贈与する電子花ポイントは、ある顧客の特許ライセンスを取得した数１０以上で１ライセンスあたり1,000,000円以上で取得したときは殊勲花ポイント、特許ライセンスを取得した数１０以上で１ライセンスあたり1,000,000円未満で取得したときは敢闘花ポイント、特許ライセンスを取得した数１０未満で１ライセンスあたり1,000,000円以上で取得したときは技能花ポイント、それらのいずれにも該当しないときは該当なし花ポイントというようになる。
【００１３】
また、請求項１のサービス方法の実施において、現在の特許商取引の中では通常おこなわれていないサービス方法として、サーバー１が、贈与する電子花ポイントの種類と数に応じて発明者リスト記憶手段５に記憶された贈与先の電子花ポイントに加算する際、発展猫花ポイント、安全犬花ポイント、健康亀花ポイントのいずれも１０ポイント加算するごとに規定打席花ポイントが１ポイントが与えられ加算することを特徴とする。
具体的には、図３から発明者Ｙの発展猫花ポイントに関する特許ライセンスを２０ライセンスを１ライセンスあたり1,000,000円未満で取得したとき、発展猫花ポイントが２０ポイント、敢闘花ポイントが１ポイント、贈与先の発明者の名前Yがインターネット３を介してサーバー１に入力される。そして、サーバー１が、図３に記憶された発明者Ｙの発展猫花ポイントに２０ポイント加算する際、発展猫花ポイント、安全犬花ポイント、健康亀花ポイントのいずれかが１０ポイント加算するごとに規定打席花ポイントが１ポイント与えられ加算するので、発展猫花ポイントが２０ポイントになった場合は、規定打席花ポイントが２ポイント与えられ加算する。サーバー１の処理実施後の発明者リスト記憶手段５の内容は、図５のようになる。
【００１４】
また、請求項１のサービス方法の実施において、現在の特許商取引の中では通常おこなわれていないサービス方法として、サーバー１が、贈与する電子花ポイントの種類と数に応じて発明者リスト記憶手段５に記憶された贈与先の電子花ポイントに加算する際、殊勲花ポイントが５ポイント加算するごとにホームラン花ポイントが５ポイント与えられ加算することを特徴とする。
具体的には、図５から発明者Ｘの発展猫花ポイントに関する特許ライセンスを２０ライセンスを１ライセンスあたり1,000,000円以上で取得したとき、発展猫花ポイントが２０ポイント、殊勲花ポイントが１ポイント、贈与先の発明者の名前Ｘがインターネット３を介してサーバー１に入力される。そして、サーバー１が、実施例４に従い規定打席花ポイントが２ポイント与えられ加算する他に、図５に記憶された発明者Ｘの殊勲花ポイントに１ポイント加算する際、殊勲花ポイントが５ポイント加算するごとにホームラン花ポイントが５ポイント与えられ加算するので、殊勲花ポイントが５ポイントになった場合は、ホームラン花ポイントが５ポイント与えられ加算する。サーバー１の処理実施後の発明者リスト記憶手段５の内容は、図６のようになる。
【００１５】
また、請求項１のサービス方法の実施において、現在の特許商取引の中では通常おこなわれていないサービス方法として、サーバー１が、贈与する電子花ポイントの種類と数に応じて発明者リスト記憶手段５に記憶された贈与先の電子花ポイントに加算する際、電子花ポイントは、該当なし花ポイントが１００ポイント加算するごとに三振花ポイントが１０ポイント与えられ加算することを特徴とする。
具体的には、図６から発明者Ｚの健康亀花ポイントに関する特許ライセンスを５ライセンスを１ライセンスあたり1,000,000円未満で取得したとき、健康亀花ポイントが５ポイント、該当なし花ポイントが１ポイント、贈与先の発明者の名前Ｚがインターネット３を介してサーバー１に入力される。そして、サーバー１が、実施例４に従い規定打席花ポイントが１ポイント与えられ加算する他に、図６に記憶された発明者Ｚの該当なし花ポイントに１ポイント加算する際、該当なし花ポイントが１００ポイント加算するごとに三振花ポイントが１０ポイント与えられ加算するので、該当なし花ポイントが１００ポイントになった場合は、三振花が１０ポイント与えられ加算する。サーバー１の処理実施後の発明者リスト記憶手段５の内容は、図７のようになる。
【００１６】
また、請求項１のサービス方法の実施において、現在の特許商取引の中では通常おこなわれていないサービス方法として、サーバー１が、加算する電子花ポイントがの種類がドーピング花ポイントで、そのことによってドーピング花ポイント以外の電子花ポイントの発明者リスト記憶手段５に記憶された贈与先の電子花ポイントを０ポイントに減算することにすることを特徴とする。
具体的には、図７から発明者Ｘに特許取得に対し盗聴など悪質な法律に関わる問題が発覚して、ドーピング花ポイントが１ポイント、贈与先の発明者の名前Ｘがインターネット３を介してサーバー１に入力される。そして、サーバー１が、図７に記憶された発明者Ｘのドーピング花ポイントに１ポイント加算する際、加算する電子花ポイントの種類がドーピング花ポイントで、そのことによってドーピング花ポイント以外の電子花ポイントの発明者リスト記憶手段５に記憶された贈与先の電子花ポイントを０ポイントに減算するので、ドーピング花ポイント以外の電子花ポイントが０ポイントに減算する。サーバー１の処理実施後の発明者リスト記憶手段５の内容は、図８のようになる。
【００１７】
また、請求項１のサービス方法の実施において、現在の特許商取引の中では通常おこなわれていないサービス方法として、サーバー１が、贈与する電子花ポイントの種類と数に応じて発明者リスト記憶手段５に記憶された贈与先の電子花ポイントに加算する際、電子花ポイントのドーピング花ポイントが３ポイントになると、サーバー１が、電子花ポイントの種類と数に応じて電子花に変換するステップ、及び、サーバー１が、電子花が贈与されたことの代わりにサービス終了のメッセージを贈与先の電子メールアドレスを用いて電子メールにて贈与先に通知するステップを実行する代わりに、サーバー１が、サービス終了のメッセージを作成するステップ、及び、サーバー１が、サービス終了のメッセージを贈与先の電子メールアドレスを用いて電子メールにて贈与先に通知するステップを実行することを特徴とする。
具体的には、図８から発明者Ｘに特許取得に対し悪質な法律に関わる問題が更に２回続けて発覚して、ドーピング花ポイントが１ポイントづつ２回、贈与先の発明者の名前Ｘがインターネット３を介してサーバー１に入力される。そして、サーバー１が、今回入力された２回目で、贈与する電子花ポイントの種類と数に応じて発明者リスト記憶手段５に記憶された発明者Ｘのドーピング花ポイントに１ポイント加算する際、ドーピング花ポイントが３ポイントになる。そうなると、サーバー１が、電子花ポイントの種類と数に応じて電子花に変換するステップ、及び、サーバー１が、電子花が贈与されたことを贈与先の電子メールアドレスを用いて電子メールにて贈与先に通知するステップを実行する代わりに、サーバー１が、サービス終了のメッセージを作成して、サーバー１が、サービス終了のメッセージを贈与先の電子メールアドレスX@efg.comを用いて電子メールにて端末４などの贈与先である発明者Ｘに通知する。
【実施例３】
【００１８】
本発明の実施例３を以下に記載する。
請求項１のサービス方法の実施において、サーバー１が、発明者リスト記憶手段５から、贈与先の電子花ポイントの種類ごとの数を集計して合計電子花ポイントを算出し、前述のサーバー１が、花音楽ＣＤ名と電子花交換ポイントが対応付けて記憶された花音楽ＣＤリスト記憶手段６から、集計後の贈与先の合計電子花ポイント以下の電子花交換ポイントを有する花音楽ＣＤ名を検索して花音楽ＣＤリストファイルと花音楽ＣＤイントロ音声ファイルを作成し、前述のサーバー１が、当該花音楽ＣＤリストファイルと花音楽ＣＤイントロ音声ファイルを電子メールの添付ファイルとして贈与先に送付する。
具体的には、図８の発明者Ｚの場合、サーバー１が、発明者リスト記憶手段５から、贈与先の電子花ポイントの種類ごとの数を集計して合計電子花ポイントを算出する。その結果、発展猫花ポイント２００＋安全犬花ポイント３００＋健康亀花ポイント３０＋殊勲花ポイント０＋敢闘花ポイント０＋技能花ポイント０＋該当なし花ポイント１００＋規定打席花ポイント５３＋ホームラン花ポイント０＋三振花ポイント１０＋ドーピング花ポイント０＝合計電子花ポイント６９８ポイントとなる。次に、サーバー１が、図９にある花音楽ＣＤ名と電子花交換ポイントが対応付けて記憶された花音楽ＣＤリスト記憶手段６から、集計後の贈与先である発明者Ｚの合計電子花ポイント以下の電子花交換ポイントを有する花音楽ＣＤ名を検索して花音楽ＣＤリストファイルと花音楽ＣＤイントロ音声ファイルを作成する。そして、サーバー１が、当該花音楽ＣＤリストファイルと花音楽ＣＤイントロ音声ファイルを電子メールの添付ファイルとして贈与先である発明者Ｚに送付する。なお、今回は花音楽ＣＤリストファイルと花音楽ＣＤイントロ音声ファイルの組み合わせとなったが、テキストリストファイルとテキストＣＤ音声ファイルといったような新規の組み合わせも可能である。
【実施例４】
【００１９】
本発明の実施例４を以下に記載する。
請求項１のサービス方法の実施において、サーバー１が、発明者リスト記憶手段５から、請求項３で算出した集計後の贈与先の合計電子花ポイント以上を有する氏名を検索して上位発明者氏名リストのファイルを作成し、前述のサーバー１が、当該上位発明者氏名リストファイルを電子メールの添付ファイルとして贈与先に送付する。
具体的には、図８の発明者Ｚの場合、サーバー１が、発明者リスト記憶手段５から、請求項３で算出した集計後の贈与先である発明者Ｚの合計電子花ポイント６９８ポイント以上を有する氏名を検索して氏名リストのファイルを作成する。もし、仮に、発明者リスト記憶手段５に７００人登録されていてその中で１０人が合計電子花ポイント６９８ポイントいるとする。その場合、１０名の氏名を検索して図１０にある上位発明者氏名リストファイルを作成する。そして、サーバー１が当該上位発明者氏名リストファイルを電子メールの添付ファイルとして贈与先に送付する。このことによって、進歩的に各発明者により上位を目指して発明の奨励を推奨する。
【産業上の利用可能性】
【００２０】
本発明の活用例として、以下が挙げられる。
・発明協会
・各種学校
・研究所
・技術系会社など
【図面の簡単な説明】
【００２１】
【図１】、本発明の実施の形態の説明に利用するシステム構成を示す概念説明図
【図２】、発明者リスト記憶手段の内容１
【図３】、発明者リスト記憶手段の内容２
【図４】、電子花の変換例
【図５】、発明者リスト記憶手段の内容３
【図６】、発明者リスト記憶手段の内容４
【図７】、発明者リスト記憶手段の内容５
【図８】、発明者リスト記憶手段の内容６
【図９】、音楽ＣＤ記憶手段の内容図９にあるＳＭＡＰは株式会社ジャニーズ事務所、¢Ｒ∞ＯＲＡＮＧＥ  ＲＡＮＧＥは株式会社ソニー・ミュージックエンタテイメントの商標登録です。模倣、不正コピー、不法行為のリスクに対しての人的損害、金銭的損害を与えるものでないこと、及び、著作権法で禁止されている行為をしないことを誓約します。
【図１０】、上位発明者氏名リストファイルの内容
【符号の説明】
【００２２】
１：サーバー
２：特許ライセンス取得者の端末
３：インターネット
４：発明者の端末
５：発明者リスト記憶手段
６：花音楽ＣＤリスト記憶手段